(57)【特許請求の範囲】
【請求項１】
多数のワイヤからなる一対の導線を絶縁材で被覆したコードと、一対の円形状端子挿通
孔を所定間隔をおいて貫設した基板とを有し、前記コードの絶縁材から露出する両導線の
端子を前記各端子挿通孔にそれぞれ挿通し、該各端子を基板の裏面のランドに半田付けす
るようにしたコード接続装置であって、前記基板の両端子挿通孔間に該両端子挿通孔を分
断するようにスリットが形成され、前記各端子挿通孔の内周面の互いに対向する部分に凹
溝が貫設されていることを特徴とするコード接続装置。
【発明の詳細な説明】
【技術分野】
【０００１】
本発明は、例えばディスク装置（ＤＶＤプレーヤやＤＶＤレコーダなど）に用いられれ
るコード接続装置であって、コードのショート事故を防ぐものである。
【背景技術】
【０００２】
ディスク装置の一例として図７に示すものがある。これは、底板部１Ａ、天板部１Ｂ及
び前板部１Ｃからなる筐体１内に、ＤＶＤ機器２と、該ＤＶＤ機器２を制御するための電
子機器（図示せず）を搭載した基板３と、該基板３上の電子機器に通電するためのＡＣ用
コード４とが設けられている。
【０００３】
前記ＤＶＤ機器２は、ディスクＤ載置用トレイ６を前後進ａ，ｂ可能に支持するメイン
シャーシ７と該メインシャーシ７に上下動可能に枢支されたリバースシャーシ（図示せず
）に搭載した光ピックアップ８及びターンテーブル９とを有し、該ターンテーブル９に対
向してメインシャーシ７に架設した横桁１０にクランパ１１が一定範囲内上下動可能に配
置されている。なお、１２は筐体１の前板部１Ｃに形成したディスク取出口である。
【０００４】
ディスク装置の操作手順を説明すると、図７（ａ）（ｂ）に実線で示すプレイモードで
は、ディスクＤがクランパ１１とターンテーブル９とでクランプされ、該ターンテーブル
９によりディスクＤが高速回転され、そのディスクＤに記録されている情報が光ピックア
ップ８により読み取られ、例えばその読み取った情報に基づく映像がモニターに再生され
る。
【０００５】
前記コード４は、図８及び図９に示すように、多数のワイヤ１４ａからなる一対の導線
１４を絶縁材１５で被覆したものである。
【０００６】
従来、前記基板３には、図８及び図９に示すように、一対の円形状端子挿通孔１６が所
定間隔Ｌをおいて貫設されており、前記コード４の絶縁材１５から露出する両導線１４の
端子１４Ａを各端子挿通孔１６にそれぞれ挿通し、該各端子１４Ａを基板３の裏面に印刷
したプリント配線のランド１７に半田付け１８し、そのコード４付き基板３を筐体１の底
板部１Ａ上にビス１９止めしている〔図７（ａ）参照〕。なお、本発明に関連する技術と
して特許文献１に記載したものがある。
【特許文献１】特開平１０−１２６０２５号公報
【発明の開示】
【発明が解決しようとする課題】
【０００７】
上記従来の構成では、ユーザの要望に基づいて基板３が小型化されることにより、両端
子挿通孔１６間の間隔Ｌが狭められており、また、コード４付き基板３を筐体１内にビス
１９止めしたりしてディスク装置の組立作業を行う際に、コード４が引っ張られたり捩じ
られたりして、該コード４の根元部分に過大な負荷Ｆがかかることにより、図８（ａ）の
拡大図に示すように、各端子挿通孔１６の表面側周縁の直角状角部２０に各端子１４Ａが
擦りつけられ、その角部２０により各端子１４Ａのワイヤ１４ａが切断されることがあり
（仮想線参照）、その切断されたワイヤ１４ａどうしでショート事故を起こすおそれがあ
る。
【０００８】
本発明は、上記従来の欠点に鑑み、コードのショート事故を防ぐようにしたコード接続
装置を提供することを目的としている。
【課題を解決するための手段】
【０００９】
上記目的を達成するため、請求項１に記載の発明は、多数のワイヤからなる一対の導線
を絶縁材で被覆したコードと、一対の円形状端子挿通孔を所定間隔をおいて貫設した基板
とを有し、前記コードの絶縁材から露出する両導線の端子を前記各端子挿通孔にそれぞれ
挿通し、該各端子を基板の裏面のランドに半田付けするようにしたコード接続装置であっ
て、前記基板の両端子挿通孔間に該両端子挿通孔を分断するようにスリットが形成され、
前記各端子挿通孔の内周面の互いに対向する部分に凹溝が貫設されていることを特徴とし
ている。
【発明の効果】
【００１０】
請求項１に記載の発明は実施の一形態（図４及び図５参照）に対応するものであって、
これによれば、コード付き基板の組立作業を行う際に、コードが引っ張られたり捩じられ
たりして、該コードの根元部分に過大な負荷がかかることにより、そのコードの端子が各
端子挿通孔の表面側周縁に擦りつけられようとしても、該各端子挿通孔の内周面の互いに
対向する部分に凹溝が形成されているから、その凹溝に端子が接近するだけであり、端子
のワイヤが従来のように切断されることがなく、ワイヤ切断によるショート事故を確実に
防ぐことができる。
【発明を実施するための最良の形態】
【００１１】
図１及び図２は本発明の第１の参考例であるディスク装置（図７参照）に用いられるコ
ード接続装置を示すものであって、基板３の両端子挿通孔１６間に該両端子挿通孔１６を
分断するようにスリット２２が形成され、前記各端子挿通孔１６の表面側周縁をその全周
にわたって斜めに削除するか斜めに押圧変形させてテーパ面状面取り部２３が形成されて
いる。上記以外の構成は図７〜図９に示す構成とほぼ同じであるから、同一部分に同一符
号を付してその説明を省略する。
【００１２】
前記テーパ面状面取り部２３の製作手順を説明すると、各端子挿通孔１６をドリルで孔
明け加工を施すと同時に、そのドリルの根元部に一体形成したテーパ面状大径刃部で各端
子挿通孔１６の表面側周縁を切削して、テーパ面状面取り部２３を形成したり、または、
各端子挿通孔１６をプレスで孔明け加工を施すと同時に、そのプレスに一体形成したテー
パ面状突起部で各端子挿通孔１６の表面側周縁を押圧変形させて、テーパ面状面取り部２
３を形成する。
【００１３】
上記構成によれば、基板３の両端子挿通孔１６間を分断するようにスリット２２が形成
されているので、ユーザの要望に基づいて基板３が小型化されることに対応して、ショー
ト事故が生じないように両端子挿通孔１６間の沿面距離を大きくとることができる。
【００１４】
また、コード４付き基板３の組立作業を行う際に、コード４が引っ張られたり捩じられ
たりして、該コード４の根元部分に過大な負荷Ｆがかかることにより、そのコード４の端
子１４Ａが各端子挿通孔１６の表面側周縁のどの部分に擦りつけられても、その表面側周
縁の全周にわたって形成したテーパ面状面取り部２３面に各端子１４Ａのワイヤ１４ａが
押しつけられたり接近するだけであり、そのワイヤ１４ａが従来のように切断されること
がなく、ワイヤ切断によるショート事故を確実に防ぐことができる。
【００１５】
図３は本発明の第２の参考例であるディスク装置（図７参照）に用いられるコード接続
装置を示すものであって、各端子挿通孔１６の表面側周縁の互いに対向する部分を斜めに
押圧変形させて傾斜面状面取り部２４が形成されている。上記以外の構成は第１の参考例
（図１及び図２参照）とほぼ同じであるから、同一部分に同一符号を付してその説明を省
略する。
【００１６】
上記構成によれば、コード４の端子１４Ａに接触する各端子挿通孔１６の表面側周縁の
互いに対向する部分に傾斜面状面取り部２４が形成されているので、その傾斜面状面取り
部２４に端子１４Ａが押しつけられたり接近するだけであり、その端子１４Ａのワイヤ１
４ａが従来のように切断されることがなく、ワイヤ切断によるショート事故を確実に防ぐ
ことができる。
【００１７】
特に、前記傾斜面状面取り部２４が小さいから、プレスで基板３に各端子挿通孔１６を
貫設すると同時に、そのプレスで各端子挿通孔１６の表面側周縁を部分的に押圧変形させ
るだけで、その傾斜面状面取り部２４を簡単に成形することができ、その成形費が安くつ
く。
【００１８】
図４及び図５は本発明の実施の一形態のディスク装置（図７参照）に用いられるコード
接続装置を示すものであって、各端子挿通孔１６の内側面の互いに対向する部分に半円状
凹溝２５が貫設されている。上記以外の構成は第１の参考例（図１及び図２参照）とほぼ
同じであるから、同一部分に同一符号を付してその説明を省略する。
【００１９】
前記凹溝２５の内径ｈは各端子挿通孔１６の内径Ｈの０．５〜０．８倍（好ましくは０
．６〜０．７倍）に設定される。その内径ｈが内径Ｈの０．５倍未満の場合には、凹溝２
５が小さくなり過ぎるため、コード４付き基板３の組立作業を行う際に発生する過大な負
荷Ｆで端子１４Ａが凹溝２５の凹溝端部２５ａに擦りつけられてワイヤ１４ａが切断され
るおそれがある。また、その内径ｈが内径Ｈの０．８倍を超える場合には、端子１４Ａが
凹溝２５内に入り込んで位置ずれするおそれがある。そこで、この実施の形態では、内径
ｈを内径Ｈの０．５〜０．８倍（好ましくは０．６〜０．７倍）に設定することにより、
ワイヤ１４ａが切断されないようにすると共に、端子１４Ａを端子挿通孔１６内に保持さ
れるようにしている。具体的寸法の一例を示すと、端子挿通孔１６の内径Ｈが３ｍｍ、凹
溝２５の内径ｈが２ｍｍである。
【００２０】
上記構成によれば、コード４の端子１４Ａに接触する各端子挿通孔１６の表面側周縁の
互いに対向する部分に凹溝２５が形成されているから、その凹溝２５に端子１４Ａが接近
するだけであり、その端子１４Ａのワイヤ１４ａが従来のように切断されることがなく、
ワイヤ切断によるショート事故を確実に防ぐことができる。
【００２１】
特に、各端子挿通孔１６の内側面の互いに対向する部分に凹溝２５を貫設するだけであ
るから、その成形費が安くつく。
【００２２】
図６は変形例を示すものであって、筐体１の底板部１Ａに一体突設した仕切板２６を基
板３の裏面側からスリット２２を通って該基板３の表面よりも上方に突出させている。
【００２３】
上記構成によれば、例え各端子１４Ａのワイヤ１４ａが切断されたとしても、その切断
されたワイヤ１４ａが仕切板２６で遮断されるので、ワイヤ切断によるショート事故を一
層確実に防ぐことができる。
【図面の簡単な説明】
【００２４】
【図１】（ａ）は本発明の第１の参考例であるコード接続装置の要部拡大縦断面図、（ｂ）はＡ−Ａ矢視図である。
【図２】同分解斜視図である。
【図３】（ａ）は本発明の第２の参考例であるコード接続装置の要部拡大縦断面図、（ｂ）は同分解斜視図である。
【図４】（ａ）は本発明の実施の一形態であるコード接続装置の要部拡大縦断面図、（ｂ）はＢ−Ｂ矢視図である。
【図５】同分解斜視図である。
【図６】（ａ）は変形例を示す要部拡大縦断面図、（ｂ）はＣ−Ｃ矢視図である。
【図７】（ａ）はディスク装置の一部切欠き平面図、（ｂ）は同一部切欠き側面図である。
【図８】（ａ）は従来例を示す要部拡大縦断面図、（ｂ）はＤ−Ｄ矢視図である。
【図９】同分解斜視図である。
【符号の説明】
【００２５】
１        筐体
２        ＤＶＤ機器
３        基板
４        コード
１４      導線
１４Ａ    導線の端子
１４ａ    ワイヤ
１５      絶縁材
１６      端子挿通孔
１７      ランド
１８      半田付け
２３      テーパ面状面取り部
２４      傾斜面状面取り部
２５      凹溝
２５ａ    凹溝端部
２６      仕切板
【図１】
0004251195.tif 000002
【図２】
0004251195.tif 000003
【図３】
0004251195.tif 000004
【図４】
0004251195.tif 000005
【図５】
0004251195.tif 000006
【図６】
0004251195.tif 000007
【図７】
0004251195.tif 000008
【図８】
0004251195.tif 000009
【図９】
0004251195.tif 000010